(57)【特許請求の範囲】
【請求項１】
看板本体と、この看板本体に設けられた照明ランプを備えたランプユニットと、このランプユニットを覆うように前記看板本体に設けられた透光性の表示パネルとからなる複数個のランプ内蔵型看板を、建造物の高所に上下方向に対向して設置したものにおいて、
前記看板本体の内部に横方向にスライド自在に設けられたスライドレールと、このスライドレールに吊下げ索を介して吊下げられ前記看板本体の内部に収納されるランプユニットと、前記表示パネルに設けられ前記ランプユニットを前記吊下げ索とともに前記看板本体の外部に引出し可能な開口部を有する開閉蓋と、前記吊下げ索を巻取り・繰り出し可能な巻取りリールとを備え、
前記上段側のランプ内蔵型看板のランプユニットの保守点検時に、該ランプユニットをスライドレールによってスライドして前記開口部から前記看板本体の外部に突出させて下段側のランプ内蔵型看板と上下に対向しない位置まで退避させることを可能にしたことを特徴とするランプ内蔵型看板。
【請求項２】
前記巻取りリールは、看板本体に設けられ、前記上段側のランプ内蔵型看板のランプユニットの保守点検時に、該ランプユニットをスライドレールによってスライドして前記開口部から前記看板本体の外部に突出させて下段側のランプ内蔵型看板と上下に対向しない位置まで退避させた状態で、吊下げ索を繰出すことにより、前記ランプユニットを低所まで降ろすことを可能にしたことを特徴とする請求項１記載のランプ内蔵型看板。
【発明の詳細な説明】
【０００１】
【産業上の利用分野】
この発明は、ビルディング等の壁面に取り付けられ、社名、店名、商品名等を表示するランプ内蔵型看板に関する。
【０００２】
【従来の技術】
ビルディング等の壁面やポール等の建造物に取り付けられる看板は、看板本体の内部に蛍光ランプ等の照明ランプが内蔵され、この照明ランプを覆うように看板本体に対して透光性の表示パネルが設けられている。この表示パネルはアクリル板等によって形成され、その表面に社名、商品名等が表示されている。そして、特に夜間には照明ランプを点灯することにより、表示パネルに表示された広告文字を含む表示パネル全体を照明し、広告文字を鮮明に表示するようにしている。
【０００３】
【発明が解決しようとする課題】
ところで、看板本体に内蔵される照明ランプは、一般に蛍光ランプが使用されており、寿命により照度が低下したり、放電不能により点滅が生じた場合には蛍光ランプを新しいものに交換する必要がある。しかし、蛍光ランプを含むランプユニットは表示パネルによって覆われているため、蛍光ランプの交換の際には、看板本体に対して多数のビスで固定されている表示パネルを取り外し、内部の蛍光ランプを露出する必要があるが、看板は、ビルディングの壁面やポール等の建造物の高所に据え付けられているのが普通であり、高所における作業となる。
【０００４】
しかも、表示パネルは多数のビスによって看板本体に取り付けられており、ビスを緩めて表示パネルを取り外す作業が困難で、しかも大型の看板になると、表示パネルも大型になることから複数の作業者の共同作業となる。したがって、ランプ交換に多くの労力を費やし、また危険性を伴う作業である。
【０００５】
この発明は、前記事情に着目してなされたもので、その目的とするところは、ランプユニットに装着されたランプの交換作業や保守点検の作業性の向上と安全性の向上を図ることができるランプ内蔵型看板を提供することにある。
【０００６】
【課題を解決するための手段】
この発明は、前記目的を達成するために、請求項１は、看板本体と、この看板本体に設けられた照明ランプを備えたランプユニットと、このランプユニットを覆うように前記看板本体に設けられた透光性の表示パネルとからなる複数個のランプ内蔵型看板を、建造物の高所に上下方向に対向して設置したものにおいて、前記看板本体の内部に横方向にスライド自在に設けられたスライドレールと、このスライドレールに吊下げ索を介して吊下げられ前記看板本体の内部に収納されるランプユニットと、前記表示パネルに設けられ前記ランプユニットを前記吊下げ索とともに前記看板本体の外部に引出し可能な開口部を有する開閉蓋と、前記吊下げ索を巻取り・繰り出し可能な巻取りリールとを備え、前記上段側のランプ内蔵型看板のランプユニットの保守点検時に、該ランプユニットをスライドレールによってスライドして前記開口部から前記看板本体の外部に突出させて下段側のランプ内蔵型看板と上下に対向しない位置まで退避させることを可能にしたことを特徴とする。
請求項２は、請求項１の前記巻取りリールは、看板本体に設けられ、前記上段側のランプ内蔵型看板のランプユニットの保守点検時に、該ランプユニットをスライドレールによってスライドして前記開口部から前記看板本体の外部に突出させて下段側のランプ内蔵型看板と上下に対向しない位置まで退避させた状態で、吊下げ索を繰り出すことにより、前記ランプユニットを低所まで降ろすことを可能にしたことを特徴とする。
【０００７】
照明ランプの寿命等により新しい照明ランプと交換する際には、看板本体の一部を開放し、ランプユニットを看板本体に引き出すことにより、表示パネルを取り外すことなく、照明ランプを露出することができ、看板本体の外部でランプ交換ができる。
【０００８】
【実施例】
以下、この発明の各実施例を図面に基づいて説明する。
図１〜図３は第１の実施例を示し、縦型で大形のランプ内蔵型看板を示す。この看板は、看板本体１と、この看板本体１の内部に設けられたランプユニット２と、このランプユニット２を覆うアクリル板等の透光性の表示パネル３とから構成されている。看板本体１は、金属パネルによって形成された広幅の基端側端板４と狭幅の先端側端板５および両端板４，５を連結する天板６とからなり、両側部７および下部８は開口している。
【０００９】
また、看板本体１の両側部７は前記表示パネル３によって覆われており、この表示パネル３の周縁部は基端側端板４および先端側端板５の周縁部に複数のビス１０によって固定されている。この表示パネル３には社名、商品名等の広告文字１１が周知の手段で施されている。また、看板本体１の下部８には先端側端板５に対してヒンジ１２によって取り付けられた開閉蓋１３が設けられており、下部８は通常は開閉蓋１３によって閉塞されている。
【００１０】
したがって、看板本体１は表示パネル３と天板６および開閉蓋１３によって全体が覆われたボックス構造であり、その継目部分はパッキン等のシール手段によって雨水が浸入しないように構成されている。
【００１１】
この看板本体１の基端側端板４の外側面には取り付け台１４が設けられており、この取り付け台１４を介して看板本体１がビルディング等の壁面１５に対して固定されている。
【００１２】
さらに、基端側端板４の内側面および先端側端板５の内側面には上下方向に亘ってレール取り付け台１６ａ，１６ｂが固定され、このレール取り付け台１６ａ，１６ｂにはガイドレール１７ａ，１７ｂが上下方向に亘って固定されている。ガイドレール１７ａ，１７ｂは、断面がコ字状で、その開口部を内側に折曲することにより、狭幅にしたチャンネル構造であり、互いに対向して設置されている。そして、このガイドレール１７ａ，１７ｂ間には前記ランプユニット２が上下方向にスライド自在に設けられている。
【００１３】
ランプユニット２のユニット本体１８には看板本体１の内部を左右に区画する仕切り板１９を有しており、この仕切り板１９の両端部には上下方向に亘ってブラケット２０が固定されている。このブラケット２０の外側面には前記ガイドレール１７ａ，１７ｂに対してスライド自在に嵌合するスライダ２０ａ，２０ｂが設けられ、ユニット本体１８はガイドレール１７ａ，１７ｂに沿って上下方向にスライドするようになっている。
【００１４】
さらに、前記一対のブラケット２０には対をなす複数組のランプソケット２１が上下方向に所定間隔を存して配設されており、これらランプソケット２１には照明ランプとしての棒状の蛍光ランプ２２が装着されている。この蛍光ランプ２２の配置構造は、本実施例では斜めに、しかも蛍光ランプ２２相互が互いにラップする間隔に配置されている。また、前記ランプソケット２１は図示しない電気コードを介して看板本体１の外部に導出され、スイッチを介して交流電源に接続されている。
【００１５】
また、前記ランプユニット２の上端部には牽引策としてのロープ２３の基端部が接続されている。このロープ２３は看板本体１の天板６に吊持された滑車２４，２５に掛け渡され、このロープ２３の先端側は看板本体１の下部８まで導かれている。下部８の近傍に位置する基端側端板４には巻取リール２６が設けられており、この巻取リール２６の巻き軸２６ａにロープ２３の先端部が巻き取られている。巻取リール２６にはハンドル２７が設けられており、このハンドル２７を握って巻取リール２６を回転させることにより、ロープ２３を巻取または繰出すことができ、この操作によってランプユニット２を昇降できるようになっている。
【００１６】
このように構成されたランプ内蔵型看板によれば、蛍光ランプ２２の照度が低下したり、放電不能により点滅が生じ、蛍光ランプ２２を新しいものに交換する際には、作業者は、脚立、梯子等を用いて看板本体１の下部の開閉蓋１３を開放する。次に、ハンドル２７を握って巻取リール２６を回転し、ロープ２３を繰出すことにより、このロープ２３に吊持されたランプユニット２は徐々に下降する。
【００１７】
このとき、ランプユニット２は、前後に設けられたスライダ２０ａ，２０ｂがガイドレール１７ａ，１７ｂに対してスライド自在に支持されているため、ランプユニット２はガイドレール１７ａ，１７ｂに案内されながら下降し、図１および図３に２点鎖線で示すように看板本体１の下方に引き出されて露出する。
【００１８】
ランプユニット２の全体もしくは交換の必要な蛍光ランプ２２が看板本体１から露出したところで、巻取リール２６を周知のロック手段によってロックし、ランプユニット２を固定することにより、蛍光ランプ２２の交換作業を行うことができる。
【００１９】
この実施例によれば、ビルディング等の高所に据え付けられている看板であっても、看板本体１からランプユニット２のみを下方に引き出して低所でランプ交換作業ができ、従来のように、多数のビスを緩め、表示パネル３を看板本体１から取り外す必要がなく、作業性の向上と安全性を図ることができる。
【００２０】
ランプ交換が終わった後は、巻取リール２６によってロープ２３を巻き取ることにより、ランプユニット２を上昇させ、看板本体１の内部に収納することができ、全体が収納された後、巻取リール２６をロックし、開閉蓋１３を閉塞することにより、ランプ交換作業が完了する。
【００２１】
なお、前記第１の実施例では、巻取リール２６を手動で回転させ、ロープ２３を巻取または繰出すようにしたが、モータによって電動で巻取リール２６を駆動するようにしてもよい。また、モータを使用することにより、地上でリモコン操作によって行うこともできる。
【００２２】
図４および図５は第２の実施例を示す。この実施例は、ビルディング３０の壁面３１に上下に複数個の看板３２が据え付けられ、看板３２の相互間ｇにランプユニット３３を引き出すことができないスペースの場合である。
【００２３】
看板本体３４の前端部には上下方向の全体に亘ってランプユニット３３を引き出し可能な開口部３５が設けられ、この開口部３５には開閉蓋３６が設けられている。さらに、看板本体３４の天板３６には前後方向に亘って固定レール３７が設けられており、この固定レール３７には第１のスライドレール３８が嵌合しており、この第１のスライドレール３８に対して第２のスライドレール３９が嵌合されている。
【００２４】
すなわち、第１と第２のスライドレール３８および３９の２段式スライドレール構造により、第２のスライドレール３９はその全体が看板本体３４から突出可能に構成され、この第２のスライドレール３９には第１の実施例と同様にロープ２３と滑車２４によってランプユニット３３が吊持され、ロープ２３は図示しない巻取リールに巻き取られている。また、ランプユニット３３には複数本の蛍光ランプ４０が平行に所定間隔を存して装着されている。
【００２５】
このように構成されたランプ内蔵型看板によれば、蛍光ランプ４０の照度が低下したり、放電不能により点滅が生じ、蛍光ランプ４０を新しいものに交換する際には、作業者は、脚立、梯子等を用いて看板本体３４の前部の開閉蓋３６を開放する。次に、ランプユニット３３を手前側に引き出すと、固定レール３７に対して第１のスライドレール３８がスライドし、この第１のスライドレール３８に対して第２のスライドレール３９がスライドし、図５に２点鎖線で示すように、第２のスライドレール３９と一緒にランプユニット３３の全体が開口部３５から看板本体３４の前部に露出する。
【００２６】
この状態で、第１の実施例と同様に、巻取リールによってロープ２３を繰出すことにより、ランプユニット３３を地上もしくは作業のしやすい高さまで下降させることができる。
【００２７】
この実施例によれば、看板３２と看板３２との間にランプユニット３３を引き出すスペースがない場合であっても、他の看板３２と干渉することなく、ランプユニット３３を下降させることができ、第１の実施例と同様に、表示パネル３４ａを看板本体３４から取り外す必要がなく、作業性の向上と安全性を図ることができる。
【００２８】
図６および図７は第３の実施例を示す。この実施例は、ビルディング４１の壁面４２に上下方向に長い大型の看板が据え付けられ、看板本体４３の下端部と地上との間ｈがランプユニットを引き出すことができないスペースの場合である。
【００２９】
看板本体４３には複数個、この実施例では３分割されたランプユニット４４ａ，４４ｂおよび４４ｃが設けられている。そして、これらランプユニット４４ａ，４４ｂおよび４４ｃはヒンジ４５によって折り畳み可能に連結されており、各ランプユニット４４ａ〜４４ｃには複数の蛍光ランプ４６が装着されている。
【００３０】
このように構成されたランプ内蔵型看板によれば、ランプ交換時に、看板本体４３の下部からランプユニット４４ａ〜４４ｃをその再下段のランプユニット４４ｃから引き出し、看板本体４３の下部において図７に示すようにランプユニット４４ａ〜４４ｃをヒンジ４５を支点として折り畳むことにより、ランプユニット４４ａ〜４４ｃの全体を看板本体４３の下部に引き出すことができる。
【００３１】
ランプユニット４４ａ〜４４ｃは第１の実施例と基本的に同一のガイドレールにスライド自在に支持されており、作業者が再下段のランプユニット４４ｃに手を掛けて容易に引き出すことができる。
【００３２】
この実施例によれば、看板本体４３と地上との間ｈにランプユニットを引き出すスペースがない場合であっても、ランプユニット４４ａ〜４４ｃを折り畳むことにより、ランプユニット４４ａ〜４４ｃの全体を引き出すことができ、第１の実施例と同様に、表示パネルを看板本体４３から取り外す必要がなく、作業性の向上と安全性を図ることができる。
【００３３】
なお、前記各実施例においては、縦型の看板について説明したが、横型の看板においても、看板本体にガイドレールを設け、このガイドレールにランプユニットをスライド自在に支持することにより、看板本体からランプユニットを横方向にスライドさせることにより、ランプ本体を看板本体から引き出すことができる。また、照明ランプは蛍光ランプに限定されず、白熱電球であってもよい。
【００３４】
【発明の効果】
以上説明したように、この発明によれば、看板本体に照明ランプを備えたランプユニットを別体に設け、このランプユニットを前記看板本体の外部に引き出し可能にしたことを特徴とする。
【００３５】
したがって、照明ランプの寿命等により新しい照明ランプと交換する際には、ランプユニットを看板本体に引き出すことができ、従来のように、表示パネルを取り外すことなく、照明ランプを露出することができ、看板本体の外部でランプ交換ができ、ビルディングの壁面等の高所に据え付けられている看板であっても、ランプ交換や保守点検が簡単で、しかも安全に作業できるという効果がある。
【図面の簡単な説明】
【図１】この発明の第１の実施例を示し、（ａ）は看板の正面図、（ｂ）は（ａ）の矢印ａ−ａ線に沿う断面図。
【図２】同実施例の看板の横断平面図。
【図３】同実施例の看板を示し、（ａ）は看板の縦断正面図、（ｂ）は巻取リールの拡大した側面図。
【図４】この発明の第２の実施例を示し、（ａ）は看板の正面図、（ｂ）はランプユニット支持構造を示す断面図。
【図５】同実施例の看板の内部構造の一部を示す断面図。
【図６】この発明の第３の実施例を示す看板の正面図。
【図７】同実施例のランプユニットを示す側面図。
【符号の説明】
１…看板本体、２…ランプユニット、３…表示パネル、１３…開閉蓋、１７ａ，１７ｂ…ガイドレール、２２…蛍光ランプ。
【図１】
0003662040.tif 000002
【図２】
0003662040.tif 000003
【図３】
0003662040.tif 000004
【図４】
0003662040.tif 000005
【図５】
0003662040.tif 000006
【図６】
0003662040.tif 000007
【図７】
0003662040.tif 000008